【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
複数の画像データを合成して、合成画像データを生成する合成手段と、
前記合成手段から出力された合成画像データに対して画質調整を行う画質調整手段と、
前記複数の画像データそれぞれのフォーマットを判別するフォーマット判別手段と、
前記フォーマット判別手段による判別結果を用いて、前記複数の画像データのうち画質調整の基準とする画像データを決定する決定手段と、
前記決定手段で決定された前記画質調整の基準とする画像データの画質調整に適したパラメータを用いて、前記合成画像データに対する前記画質調整を行うように前記画質調整手段を制御する制御手段と、を有し、
前記決定手段は、前記フォーマット判別手段により静止画フォーマットを有すると判別された画像データを、動画フォーマットを有すると判別された画像データよりも優先して、前記画質調整の基準とする画像データを決定することを特徴とする表示制御装置。
【請求項２】
前記複数の画像データそれぞれの、画面における表示面積の大きさを判別する面積判別手段を更に有し、
前記決定手段は、前記面積判別手段による判別結果をさらに用いて、前記画質調整の基準とする画像データを決定することを特徴とする請求項１に記載の表示制御装置。
【請求項３】
前記複数の画像データのそれぞれについて顔検出を行う顔検出手段をさらに有し、
前記決定手段は、前記顔検出手段により検出された顔の表示面積をさらに用いて、前記画質調整の基準とする画像データを決定することを特徴とする請求項１または２に記載の表示制御装置。
【請求項４】
前記フォーマット判別手段は、前記複数の画像データそれぞれのファイルフォーマットを判別し、
前記決定手段は、前記フォーマット判別手段によりＪＰＥＧファイルフォーマットまたはＲＡＷファイルフォーマットを有すると判別された画像データを、ＭＰＥＧファイルフォーマットを有すると判別された画像データよりも優先して、前記画質調整の基準とする画像データを決定することを特徴とする請求項１乃至請求項３のいずれか１項に記載の表示制御装置。
【請求項５】
前記画像データから撮影情報を取得する撮影情報取得手段と、
前記画像データの信号特性を取得する信号特性取得手段と
をさらに有し、
前記制御手段は、
前記フォーマット判別手段により、前記画質調整の基準とする画像データのフォーマットが撮影情報を持つ画像データであると判別されたら、前記撮影情報取得手段により該画像データから取得された前記撮影情報に基づくパラメータにより前記画質調整を行うように前記画質調整手段を制御し、
前記フォーマット判別手段により、前記画質調整の対象とする画像の画像データのフォーマットが前記撮影情報を持たない画像データであると判別されたら、前記信号特性取得手段により該画像データから取得された前記信号特性に基づくパラメータにより前記画質調整を行うように前記画質調整手段を制御することを特徴とする請求項１乃至請求項４の何れか１項に記載の表示制御装置。
【請求項６】
合成手段が、複数の画像データを合成して、合成画像データを生成する合成ステップと、
画質調整手段が、前記合成ステップで出力された画像データに対して画質調整を行う画質調整ステップと、
フォーマット判別手段が、前記複数の画像データそれぞれのフォーマットを判別するフォーマット判別ステップと、
決定手段が、前記フォーマット判別ステップによる判別結果を用いて、前記複数の画像データのうち画質調整の基準とする画像データを決定する決定ステップと、
制御手段が、前記決定ステップで決定された前記画質調整の基準とする画像データの画質調整に適したパラメータを用いて、前記合成画像データに対する前記画質調整を行うように前記画質調整ステップを制御する制御ステップと、を有し、
前記決定ステップでは、前記フォーマット判別ステップにより静止画フォーマットを有すると判別された画像データを、動画フォーマットを有すると判別された画像データよりも優先して、前記画質調整の基準とする画像データを決定することを特徴とする表示制御方法。
【手続補正２】
【補正対象書類名】明細書
【補正対象項目名】０００４
【補正方法】変更
【補正の内容】
【０００４】
また、近年のテレビジョン受像機は、動画像データまたは静止画像データを入力するための外部入力端子を複数備える機種が主流となっている。このような機種の中には、これら複数の外部入力端子に接続された外部機器から出力される動画像データまたは静止画像データによる映像を同時に表示できるようになっているものもある。例えば、複数の外部像入力端子から供給された動画像データまたは静止画像データのそれぞれに対して、拡大／縮小処理を必要に応じて行い、所定位置に配置することで、１つのフレームに合成して画面に表示させる。
【手続補正３】
【補正対象書類名】明細書
【補正対象項目名】００１１
【補正方法】変更
【補正の内容】
【００１１】
本発明は、上述した課題を解決するために、複数の画像データを合成して、合成画像データを生成する合成手段と、
前記合成手段から出力された合成画像データに対して画質調整を行う画質調整手段と、前記複数の画像データそれぞれのフォーマットを判別するフォーマット判別手段と、前記フォーマット判別手段による判別結果を用いて、前記複数の画像データのうち画質調整の基準とする画像データを決定する決定手段と、前記決定手段で決定された前記画質調整の基準とする画像データの画質調整に適したパラメータを用いて、前記合成画像データに対する前記画質調整を行うように前記画質調整手段を制御する制御手段と、を有し、前記決定手段は、前記フォーマット判別手段により静止画フォーマットを有すると判別された画像データを、動画フォーマットを有すると判別された画像データよりも優先して、前記画質調整の基準とする画像データを決定することを特徴とする表示制御装置を提供する。
【手続補正４】
【補正対象書類名】明細書
【補正対象項目名】００１２
【補正方法】変更
【補正の内容】
【００１２】
また、本発明は、合成手段が、複数の画像データを合成して、合成画像データを生成する合成ステップと、画質調整手段が、前記合成ステップで出力された画像データに対して画質調整を行う画質調整ステップと、フォーマット判別手段が、前記複数の画像データそれぞれのフォーマットを判別するフォーマット判別ステップと、決定手段が、前記フォーマット判別ステップによる判別結果を用いて、前記複数の画像データのうち画質調整の基準とする画像データを決定する決定ステップと、制御手段が、前記決定ステップで決定された前記画質調整の基準とする画像データの画質調整に適したパラメータを用いて、前記合成画像データに対する前記画質調整を行うように前記画質調整ステップを制御する制御ステップと、を有し、前記決定ステップでは、前記フォーマット判別ステップにより静止画フォーマットを有すると判別された画像データを、動画フォーマットを有すると判別された画像データよりも優先して、前記画質調整の基準とする画像データを決定することを特徴とする表示制御方法を提供する。
【手続補正５】
【補正対象書類名】明細書
【補正対象項目名】００２１
【補正方法】変更
【補正の内容】
【００２１】
ＭＰＥＧデコーダ１０４は、デマルチプレクサ１０３から供給されたＭＰＥＧ２のエレメンタリストリームを復号し、動画像データと音声データとを出力する。動画像データは、合成手段としての合成部１０５に供給されると共に、信号特性取得部１１７および顔検出部１１８に供給される。なお、音声データについては、本発明と特に関わりがないので、図示および説明を省略する。
【手続補正６】
【補正対象書類名】明細書
【補正対象項目名】００２６
【補正方法】変更
【補正の内容】
【００２６】
ＭＰＥＧデコーダ１０８は、供給されたＭＰＥＧ２ファイルに格納されるＭＰＥＧ２データを復号し、動画像データとして出力する。ＭＰＥＧデコーダから出力された動画像データは、合成部１０５に供給されると共に、信号特性取得部１１７および顔検出部１１８に供給される。
【手続補正７】
【補正対象書類名】明細書
【補正対象項目名】００２７
【補正方法】変更
【補正の内容】
【００２７】
ＡＶＩデコーダ１０９は、供給されたＡＶＩファイルを解析し、当該ＡＶＩファイルに格納されるデータが復号可能であるか否かを判断する。復号可能であると判断されれば、当該ＡＶＩファイルに格納されるデータを復号し、動画像データとして出力する。ＡＶＩデコーダ１０９から出力された動画像データは、合成部１０５に供給されると共に、信号特性取得部１１７および顔検出部１１８に供給される。